(57)【要約】  携帯電話端末１０３は、ゲートウェイ装置１０４から受信した下りデータに関する情報を情報サーバに通知する。情報サーバ１０４はゲートウェイ装置１０４を経由して携帯電話端末１０３から受信した上りデータ量と、携帯電話端末１０３から通知される下りデータに関する情報と、携帯電話端末１０３と通信されるデータ量から、携帯電話ネットワーク１０１内における通信量を算出するための通信量算出式とによって、携帯電話ネットワーク１０１内における通信量を算出して利用料金を算定する。【特許請求の範囲】
【請求項１】
携帯電話ネットワークと、前記携帯電話ネットワークに接続する携帯電話端末と、前記携帯電話ネットワークに設置されるゲートウェイ装置と、情報サーバによって構成され、前記携帯電話端末は前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記携帯電話端末は、前記ゲートウェイ装置から受信した下りデータに関する情報を前記情報サーバに通知し、
前記情報サーバは、前記携帯電話と通信されるデータ量から、前記携帯電話ネットワーク内における通信量を算出するための通信量算出式を有し、
前記ゲートウェイ装置を経由して前記携帯電話端末から受信した上りデータ量と、前記携帯電話端末から通知される下りデータに関する情報と、前記通信量算出式とによって、前記携帯電話ネットワーク内における通信量を算出して利用料金を算定することを特徴とする携帯電話通信の通信料金算定システム。
【請求項２】
携帯電話ネットワークと、前記携帯電話ネットワークに接続する携帯電話端末と、前記携帯電話ネットワークに設置されるゲートウェイ装置と、情報サーバによって構成され、前記情報サーバと前記携帯電話端末は前記ゲートウェイ装置を経由して通信し、前記情報サーバと前記携帯電話端末との通信にかかる携帯電話ネットワークの利用料金を前記情報サーバで算定する携帯電話通信の通信料金算定システムであって、
前記ゲートウェイ装置は、前記ゲートウェイ装置から前記携帯電話端末に送信した下りデータに関する情報を前記情報サーバに通知し、
前記情報サーバは、前記携帯電話と通信されるデータ量から、前記携帯電話ネットワーク内における通信量を算出するための通信量算出式を有し、
前記ゲートウェイ装置を経由して前記携帯電話端末から受信した上りデータ量と、前記ゲートウェイ装置から通知される前記下りデータに関する情報と、前記通信量算出式とによって、前記携帯電話ネットワーク内における通信量を算出して利用料金を算定することを特徴とする携帯電話通信の通信料金算定システム。
【請求項３】
２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記情報サーバは、前記携帯電話端末との通信において、当該携帯電話端末が接続する前記携帯電話ネットワークを特定する手段を有し、
また、前記２つ以上の携帯電話ネットワークの各々について、当該携帯電話ネットワークに接続する前記携帯電話端末と通信されるデータ量から、当該携帯電話ネットワーク内における通信量を算出するための通信量算出式を有し、
前記携帯電話端末は、当該携帯電話端末が接続する携帯電話ネットワークに設置された前記ゲートウェイ装置から受信した下りデータに関する情報を前記情報サーバに通知し、
前記情報サーバは、前記ゲートウェイ装置を経由して前記携帯電話端末から受信した上りデータ量と、前記下りデータに関する情報と、当該携帯電話端末が接続する前記携帯電話ネットワークに対応した前記通信量算出式によって当該携帯電話ネットワーク内における通信量を算出し、利用料金を算定することを特徴とする携帯電話通信の通信料金算定システム。
【請求項４】
２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記情報サーバは、前記携帯電話端末との通信において、当該携帯電話端末が接続する前記携帯電話ネットワークを特定する手段を有し、
また、前記２つ以上の携帯電話ネットワークの各々について、当該携帯電話ネットワークに接続する前記携帯電話端末と通信されるデータ量から、当該携帯電話ネットワーク内における通信量を算出するための通信量算出式を有し、
前記ゲートウェイ装置は、当該ゲートウェイ装置が設定された前記携帯電話ネットワークに接続する前記携帯電話端末に送信した下りデータに関する情報を前記情報サーバに通知し、
前記情報サーバは、前記ゲートウェイ装置を経由して前記携帯電話端末から受信した上りデータ量と、前記下りデータに関する情報と、当該携帯電話端末が接続する前記携帯電話ネットワークに対応した前記通信量算出式によって当該携帯電話ネットワーク内における通信量を算出し、利用料金を算定することを特徴とする携帯電話通信の通信料金算定システム。
【請求項５】
前記情報サーバから前記携帯電話端末に送信される下りデータには、当該下りデータを識別するための情報識別子が付随し、前記下りデータに関する情報は、前記携帯電話端末が最後に受信に成功した前記下りデータに付随する前記情報識別子であって、
前記情報サーバは、前記携帯電話端末に下りデータを送信した場合に、当該下りデータに付随する前記情報識別子と当該データのサイズを記憶し、
前記下りデータに関する情報を前記携帯電話端末から受け取った場合に、当該情報識別子が前記記憶された情報識別子と一致した場合に、前記記憶されたデータのサイズから、前記通信量算出式によって前記携帯電話ネットワーク内における通信量を計算するとともに、前記情報識別子を記憶から削除することを特徴とする請求項１から請求項４のいずれかに記載の携帯電話通信の通信料金算定システム。
【請求項６】
前記情報サーバから前記携帯電話端末に送信される下りデータには、当該下りデータを識別するための情報識別子が付随し、前記下りデータに関する情報は、前記携帯電話端末が最後に受信した下りデータに付随する前記情報識別子と受信した下りデータ量であって、
前記情報サーバは、前記携帯電話端末に下りデータを送信した場合に、当該データに付随する前記情報識別子を記憶し、
前記下りデータに関する情報を前記携帯電話端末から受け取った場合に、当該情報識別子が前記記憶された情報識別子と一致した場合に、当該データ量から、前記通信量算出式によって前記携帯電話ネットワーク内における通信量を計算するとともに、前記情報識別子を記憶から削除することを特徴とする請求項１から請求項４のいずれかに記載の携帯電話通信の通信料金算定システム。
【請求項７】
携帯電話ネットワークと、前記携帯電話ネットワークに接続する携帯電話端末と、前記携帯電話ネットワークに設置されるゲートウェイ装置と、情報サーバによって構成され、前記携帯電話端末は前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記携帯電話端末は、
データ送信時に自端末を識別する端末識別子を送信する手段と、
前記ゲートウェイ装置から受信した下りデータに関する情報を前記情報サーバに送信する手段とを有し、
前記情報サーバは、
前記端末識別子から特定される携帯電話端末の前記携帯電話ネットワーク内における通信量を算出するための通信量算出式と、前記ゲートウェイ装置を経由して前記携帯電話端末から受信した上りデータ量と、前記携帯電話端末から通知される下りデータに関する情報から求まる下りデータ量とに基づいて、前記携帯電話ネットワーク内における通信量を算出して、前記携帯電話端末の利用料金を算定する手段を有する
ことを特徴とする携帯電話通信の通信料金算定システム。
【請求項８】
携帯電話ネットワークと、前記携帯電話ネットワークに接続する携帯電話端末と、前記携帯電話ネットワークに設置されるゲートウェイ装置と、情報サーバによって構成され、前記情報サーバと前記携帯電話端末は前記ゲートウェイ装置を経由して通信し、前記情報サーバと前記携帯電話端末との通信にかかる携帯電話ネットワークの利用料金を前記情報サーバで算定する携帯電話通信の通信料金算定システムであって、
前記携帯電話端末は、データ送信時に自端末を識別する端末識別子を送信する手段を有し、
前記ゲートウェイ装置は、自装置から前記携帯電話端末に送信した下りデータに関する情報を前記情報サーバに通知する手段を有し、
前記情報サーバは、前記端末識別子から特定される携帯電話端末の前記携帯電話ネットワーク内における通信量を算出するための通信量算出式と、前記ゲートウェイ装置を経由して前記携帯電話端末から受信した上りデータ量と、前記ゲートウェイ装置から通知される前記下りデータから求まる下りデータ量とに基づいて、前記携帯電話ネットワーク内における通信量を算出して、前記携帯電話端末の利用料金を算定する手段を有する
ことを特徴とする携帯電話通信の通信料金算定システム。
【請求項９】
２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記携帯電話端末は、
データ送信時に自端末を識別する端末識別子を送信する手段と、
当該携帯電話端末が接続する携帯電話ネットワークに設置された前記ゲートウェイ装置から受信した下りデータに関する情報を前記情報サーバに通知する手段と
を有し、
前記情報サーバは、
前記携帯電話端末との通信において、当該携帯電話端末が接続する前記携帯電話ネットワークを特定する手段と、
前記ゲートウェイ装置を経由して前記携帯電話端末から受信した上りデータ量と、前記下りデータに関する情報と、前記端末識別子で特定される携帯電話端末が接続する前記携帯電話ネットワークに対応した通信量算出式とに基づいて、携帯電話ネットワーク内における通信量を算出し、前記携帯電話端末の利用料金を算定する手段と
を有する
ことを特徴とする携帯電話通信の通信料金算定システム。
【請求項１０】
２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記携帯電話端末は、データ送信時に自端末を識別する端末識別子を送信する手段と、
前記ゲートウェイ装置は、当該ゲートウェイ装置が設定された前記携帯電話ネットワークに接続する前記携帯電話端末に送信した下りデータに関する情報を前記情報サーバに通知する手段を有し、
前記情報サーバは、前記携帯電話端末との通信において、当該携帯電話端末が接続する前記携帯電話ネットワークを特定する手段と、
前記ゲートウェイ装置を経由して前記携帯電話端末から受信した上りデータ量と、前記下りデータに関する情報と、前記端末識別子で特定される携帯電話端末が接続する前記携帯電話ネットワークに対応した通信量算出式によって当該携帯電話ネットワーク内における通信量を算出し、利用料金を算定する手段とを有する
ことを特徴とする携帯電話通信の通信料金算定システム。
【請求項１１】
前記情報サーバから前記携帯電話端末に送信される下りデータには、当該下りデータを識別するための情報識別子が付随し、
前記下りデータに関する情報は、前記携帯電話端末が最後に受信に成功した前記下りデータに付随する前記情報識別子であって、
前記情報サーバは、前記携帯電話端末に下りデータを送信した場合に、当該下りデータに付随する前記情報識別子と当該データのサイズを記憶し、前記下りデータに関する情報を前記携帯電話端末から受け取った場合に、当該情報識別子が前記記憶された情報識別子と一致した場合に、前記記憶されたデータのサイズから、前記通信量算出式によって前記携帯電話ネットワーク内における通信量を計算するとともに、前記情報識別子を記憶から削除する手段を有することを特徴とする請求項７から請求項１０のいずれかに記載の携帯電話通信の通信料金算定システム。
【請求項１２】
前記情報サーバから前記携帯電話端末に送信される下りデータには、当該下りデータを識別するための情報識別子が付随し、
前記下りデータに関する情報は、前記携帯電話端末が最後に受信した下りデータに付随する前記情報識別子と受信した下りデータ量であって、
前記情報サーバは、前記携帯電話端末に下りデータを送信した場合に、当該データに付随する前記情報識別子を記憶し、前記下りデータに関する情報を前記携帯電話端末から受け取った場合に、当該情報識別子が前記記憶された情報識別子と一致した場合に、当該データ量から、前記通信量算出式によって前記携帯電話ネットワーク内における通信量を計算するとともに、前記情報識別子を記憶から削除する手段を有することを特徴とする請求項７から請求項１０のいずれかに記載の携帯電話通信の通信料金算定システム。
【請求項１３】
携帯電話ネットワークと、前記携帯電話ネットワークに接続する携帯電話端末と、前記携帯電話ネットワークに設置されるゲートウェイ装置と、情報サーバによって構成され、前記携帯電話端末は前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定方法であって、
前記携帯電話端末から、前記ゲートウェイ装置から受信した下りデータに関する情報を前記情報サーバに通知し、
前記情報サーバによって、前記ゲートウェイ装置を経由して前記携帯電話端末から受信した上りデータ量と、前記携帯電話端末から通知される下りデータに関する情報と、前記携帯電話と通信されるデータ量から、前記携帯電話ネットワーク内における通信量を算出するための通信量算出式とによって、前記携帯電話ネットワーク内における通信量を算出して利用料金を算定することを特徴とする携帯電話通信の通信料金算定方法。
【請求項１４】
携帯電話ネットワークと、前記携帯電話ネットワークに接続する携帯電話端末と、前記携帯電話ネットワークに設置されるゲートウェイ装置と、情報サーバによって構成され、前記情報サーバと前記携帯電話端末は前記ゲートウェイ装置を経由して通信し、前記情報サーバと前記携帯電話端末との通信にかかる携帯電話ネットワークの利用料金を前記情報サーバで算定する携帯電話通信の通信料金算定方法であって、
前記ゲートウェイ装置から前記携帯電話端末に送信した下りデータに関する情報を前記情報サーバに通知し、
前記情報サーバによって、前記ゲートウェイ装置を経由して前記携帯電話端末から受信した上りデータ量と、前記ゲートウェイ装置から通知される前記下りデータに関する情報と、前記携帯電話と通信されるデータ量から、前記携帯電話ネットワーク内における通信量を算出するための通信量算出式とによって、前記携帯電話ネットワーク内における通信量を算出して利用料金を算定することを特徴とする携帯電話通信の通信料金算定方法。
【請求項１５】
２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定方法であって、
前記情報サーバによって、前記携帯電話端末との通信において、当該携帯電話端末が接続する前記携帯電話ネットワークを特定し、
前記携帯電話端末は、当該携帯電話端末が接続する携帯電話ネットワークに設置された前記ゲートウェイ装置から受信した下りデータに関する情報を前記情報サーバに通知し、
前記情報サーバによって、前記ゲートウェイ装置を経由して前記携帯電話端末から受信した上りデータ量と、前記下りデータに関する情報と、前記２つ以上の携帯電話ネットワークの各々について、当該携帯電話ネットワークに接続する前記携帯電話端末と通信されるデータ量から、当該携帯電話ネットワーク内における通信量を算出するための通信量算出式によって当該携帯電話ネットワーク内における通信量を算出し、利用料金を算定することを特徴とする携帯電話通信の通信料金算定方法。
【請求項１６】
２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定方法であって、
前記情報サーバにより、前記携帯電話端末との通信において、当該携帯電話端末が接続する前記携帯電話ネットワークを特定し、
前記ゲートウェイ装置から、当該ゲートウェイ装置が設定された前記携帯電話ネットワークに接続する前記携帯電話端末に送信した下りデータに関する情報を前記情報サーバに通知し、
前記情報サーバは、前記ゲートウェイ装置を経由して前記携帯電話端末から受信した上りデータ量と、前記下りデータに関する情報と、前記２つ以上の携帯電話ネットワークの各々について、当該携帯電話ネットワークに接続する前記携帯電話端末と通信されるデータ量から、当該携帯電話ネットワーク内における通信量を算出するための通信量算出式とによって当該携帯電話ネットワーク内における通信量を算出し、利用料金を算定することを特徴とする携帯電話通信の通信料金算定方法。
【請求項１７】
前記情報サーバから前記携帯電話端末に送信される下りデータには、当該下りデータを識別するための情報識別子が付随し、
前記下りデータに関する情報は、前記携帯電話端末が最後に受信に成功した前記下りデータに付随する前記情報識別子であり、
前記情報サーバは、前記携帯電話端末に下りデータを送信した場合に、当該下りデータに付随する前記情報識別子と当該データのサイズを記憶し、
前記下りデータに関する情報を前記携帯電話端末から受け取った場合に、当該情報識別子が前記記憶された情報識別子と一致した場合に、前記記憶されたデータのサイズから、前記通信量算出式によって前記携帯電話ネットワーク内における通信量を計算するとともに、前記情報識別子を記憶から削除することを特徴とする請求項１３から請求項１６のいずれかに記載の携帯電話通信の通信料金算定方法。
【請求項１８】
前記情報サーバから前記携帯電話端末に送信される下りデータには、当該下りデータを識別するための情報識別子が付随し、
前記下りデータに関する情報は、前記携帯電話端末が最後に受信した下りデータに付随する前記情報識別子と受信した下りデータ量であり、
前記情報サーバは、前記携帯電話端末に下りデータを送信した場合に、当該データに付随する前記情報識別子を記憶し、
前記下りデータに関する情報を前記携帯電話端末から受け取った場合に、当該情報識別子が前記記憶された情報識別子と一致した場合に、当該データ量から、前記通信量算出式によって前記携帯電話ネットワーク内における通信量を計算するとともに、前記情報識別子を記憶から削除することを特徴とする請求項１３から請求項１６のいずれかに記載の携帯電話通信の通信料金算定方法。
【請求項１９】
携帯電話ネットワークと、前記携帯電話ネットワークに接続する携帯電話端末と、前記携帯電話ネットワークに設置されるゲートウェイ装置と、情報サーバとによって構成される通信システムにおいて、前記携帯電話端末は前記ゲートウェイ装置を経由して前記情報サーバと通信し、前記情報サーバと前記携帯電話端末との通信にかかる携帯電話ネットワークの利用料金を算定する情報サーバであって、
前記ゲートウェイ装置を経由して前記携帯電話端末から受信した上りデータ量と、前記携帯電話端末から通知される下りデータに関する情報又は前記ゲートウェイ装置から通知される前記下りデータに関する情報と、前記携帯電話と通信されるデータ量に基づいて前記携帯電話ネットワーク内における通信量を算出するための通信量算出式とによって、前記携帯電話ネットワーク内における通信量を算出して利用料金を算定する手段を有することを特徴とする情報サーバ。
【請求項２０】
携帯電話端末が接続する携帯電話ネットワークを特定する手段を有し、
特定された携帯電話ネットワークに対応する通信量算出式によって、利用料金を算定することを特徴とする請求項１９に記載の情報サーバ。
【請求項２１】
前記情報サーバから前記携帯電話端末に送信される下りデータには、当該下りデータを識別するための情報識別子が付随し、前記下りデータに関する情報は、前記携帯電話端末が最後に受信に成功した前記下りデータに付随する前記情報識別子であって、
前記情報サーバは、前記携帯電話端末に下りデータを送信した場合に、当該下りデータに付随する前記情報識別子と当該データのサイズを記憶し、
前記下りデータに関する情報を前記携帯電話端末から受け取った場合に、当該情報識別子が前記記憶された情報識別子と一致した場合に、前記記憶されたデータのサイズから、前記通信量算出式によって前記携帯電話ネットワーク内における通信量を計算するとともに、前記情報識別子を記憶から削除することを特徴とする請求項１９又は請求項２０に記載の情報サーバ。
【請求項２２】
前記情報サーバから前記携帯電話端末に送信される下りデータには、当該下りデータを識別するための情報識別子が付随し、前記下りデータに関する情報は、前記携帯電話端末が最後に受信した下りデータに付随する前記情報識別子と受信した下りデータ量であって、
前記情報サーバは、前記携帯電話端末に下りデータを送信した場合に、当該データに付随する前記情報識別子を記憶し、
前記下りデータに関する情報を前記携帯電話端末から受け取った場合に、当該情報識別子が前記記憶された情報識別子と一致した場合に、当該データ量から、前記通信量算出式によって前記携帯電話ネットワーク内における通信量を計算するとともに、前記情報識別子を記憶から削除することを特徴とする請求項１９又は請求項２０に記載の情報サーバ。
【請求項２３】
携帯電話ネットワークと、前記携帯電話ネットワークに接続する携帯電話端末と、前記携帯電話ネットワークに設置されるゲートウェイ装置と、情報サーバによって構成され、前記携帯電話端末は前記ゲートウェイ装置を経由して前記情報サーバと通信し、前記情報サーバと前記携帯電話端末との通信にかかる携帯電話ネットワークの利用料金を前記情報サーバで算定する通信システムにおける、携帯電話端末であって、
データ送信時に自端末を識別する端末識別子を送信する手段と、
受信した下りデータに関する情報を前記情報サーバに送信する手段と
を有することを特徴とする携帯電話端末。
【請求項２４】
携帯電話ネットワークと、前記携帯電話ネットワークに接続する携帯電話端末と、前記携帯電話ネットワークに設置されるゲートウェイ装置と、情報サーバとによって構成される通信システムにおいて、前記携帯電話端末は前記ゲートウェイ装置を経由して前記情報サーバと通信し、前記情報サーバと前記携帯電話端末との通信にかかる携帯電話ネットワークの利用料金を算定する情報サーバのプログラムであって、
前記プログラムは、前記情報サーバに、
前記ゲートウェイ装置を経由して前記携帯電話端末から受信した上りデータ量と、前記携帯電話端末から通知される下りデータに関する情報又は前記ゲートウェイ装置から通知される前記下りデータに関する情報と、前記携帯電話と通信されるデータ量に基づいて前記携帯電話ネットワーク内における通信量を算出するための通信量算出式とによって、前記携帯電話ネットワーク内における通信量を算出して利用料金を算定する処理を実行させることを特徴とするプログラム。
【請求項２５】
前記プログラムは、前記情報サーバに、携帯電話端末が接続する携帯電話ネットワークを特定し、特定された携帯電話ネットワークに対応する通信量算出式によって、利用料金を算定する処理を実行させることを特徴とする請求項２４に記載のプログラム。
【請求項２６】
前記情報サーバから前記携帯電話端末に送信される下りデータには、当該下りデータを識別するための情報識別子が付随し、前記下りデータに関する情報は、前記携帯電話端末が最後に受信に成功した前記下りデータに付随する前記情報識別子であり、
前記プログラムは、前記情報サーバに、
前記携帯電話端末に下りデータを送信した場合に、当該下りデータに付随する前記情報識別子と当該データのサイズを記憶する処理と、
前記下りデータに関する情報を前記携帯電話端末から受け取った場合に、当該情報識別子が前記記憶された情報識別子と一致した場合に、前記記憶されたデータのサイズから、前記通信量算出式によって前記携帯電話ネットワーク内における通信量を計算するとともに、前記情報識別子を記憶から削除する処理と
を実行させることを特徴とする請求項２４又は請求項２５に記載のプログラム。
【請求項２７】
前記情報サーバから前記携帯電話端末に送信される下りデータには、当該下りデータを識別するための情報識別子が付随し、前記下りデータに関する情報は、前記携帯電話端末が最後に受信した下りデータに付随する前記情報識別子と受信した下りデータ量であり、
前記プログラムは、前記情報サーバに、
前記携帯電話端末に下りデータを送信した場合に、当該データに付随する前記情報識別子を記憶する処理と、
前記下りデータに関する情報を前記携帯電話端末から受け取った場合に、当該情報識別子が前記記憶された情報識別子と一致した場合に、当該データ量から、前記通信量算出式によって前記携帯電話ネットワーク内における通信量を計算するとともに、前記情報識別子を記憶から削除する処理と
を実行させることを特徴とする請求項２４又は請求項２５に記載のプログラム。
【請求項２８】
携帯電話ネットワークと、前記携帯電話ネットワークに接続する携帯電話端末と、前記携帯電話ネットワークに設置されるゲートウェイ装置と、情報サーバによって構成され、前記携帯電話端末は前記ゲートウェイ装置を経由して前記情報サーバと通信し、前記情報サーバと前記携帯電話端末との通信にかかる携帯電話ネットワークの利用料金を前記情報サーバで算定する通信システムにおける、携帯電話端末のプログラムであって、
前記プログラムは、前記携帯電話端末に、
データ送信時に自端末を識別する端末識別子を送信する処理と、
受信した下りデータに関する情報を前記情報サーバに送信する処理と
を実行させることを特徴とするプログラム。
【発明の詳細な説明】
【技術分野】
【０００１】
本発明は、携帯電話端末を使った情報通信において、携帯電話端末が情報サーバを利用する場合の通信料金算定のための技術に関し、特に、携帯電話事業者による課金からの誤差の少ない通信料金算定の技術に関する。
【背景技術】
【０００２】
携帯端末、特に携帯電話端末の情報通信機能および情報処理能力の著しい発達によって、通信を伴う高度な情報処理が携帯端末から可能となり、企業が社内のパーソナルコンピュータ向けに提供してきた情報サービスを、携帯電話端末から利用するケースが増加しつつある。【０００３】
携帯電話端末の利用者自身が携帯電話事業者と契約する個人契約の場合、業務として携帯電話端末から企業の情報サービスを使用する場合、通信にかかる費用は携帯電話事業者から利用者に対して請求される。【０００４】
しかし、携帯電話から企業の情報サーバの業務利用にかかる費用は企業が負担するものであり、かかる通信費を利用者に支払う「公私分計」の機能が要求され、そのためには携帯電話と情報サーバとの通信料金を正確に算定するためのシステムが必要となる。【０００５】
携帯電話端末を用いた通信システムにおける通信料金算定の方法としては、代理サーバによって通信料金を算定する方法が開示されている（例えば、特許文献１）。【０００６】
特許文献１によって開示される通信料金算定の方法について、以下に説明する。【０００７】
図１３は、特許文献１で開示された通信システムの構成であり、携帯電話１３０１と、情報サーバ１３０２と、携帯電話１３０１と情報サーバ１３０２との通信を仲介する代理サーバ１３０３とから構成される。【０００８】
情報サーバ１３０２にはそれぞれにサーバ名が与えられ、携帯電話１３０１が情報サーバ１３０２と通信する場合に、代理サーバ１３０３において携帯電話１３０１が通信した通信量と、通信相手である情報サーバ１３０２のサーバ名を取得する。【０００９】
代理サーバ１３０３は、携帯電話１３０１と情報サーバ１３０２との通信を、サーバ名によって私用または公用に分類する。代理サーバ１３０３は携帯電話１３０１のサービス料金体系の情報を持ち、通信量およびサーバ名によって、携帯電話ごとに私用および公用の通信料金を算定する。
【特許文献１】特開２００３−１７９７０５
【発明の開示】
【発明が解決しようとする課題】
【００１０】
特許文献１で開示された公私分計の方法では、携帯電話は代理サーバを中継して情報サーバと通信し、代理サーバが中継する通信の通信量を元に通信費を算出する。しかしながら、実際の携帯電話による通信では、携帯電話は、携帯電話事業者が設置するゲートウェイ装置を経由して外部との通信を行ない、携帯電話事業者による課金の対象はゲートウェイと携帯電話との通信量である。【００１１】
特許文献１の公私分計方式では、代理サーバから携帯電話に情報を送信する場合、ゲートウェイ装置によって代理サーバからの情報が終端され、ゲートウェイ装置から携帯電話に対して情報が送信されるが、例えば電車で移動中の携帯電話が情報サーバに対して情報を要求し、その後トンネルに入るなど通信不可能な状態となったタイミングで情報サーバが携帯電話に情報を送信した場合、代理サーバは情報サーバからの情報を中継してゲートウェイ装置に送信するが、ゲートウェイから携帯電話の通信は実際には行われない。このような場合、代理サーバではゲートウェイとの通信によって通信料金を算出・集計するが、実際には携帯電話事業者による課金は行なわれず、代理サーバによる算出結果と、携帯電話事業者による課金との間に誤差を生じる。【００１２】
また、特許文献１で開示された通信料金算定の方法では、代理サーバが携帯電話との間で送受信したデータ量を元に通信料金が算定されているが、実際の携帯電話の通信では、携帯電話とゲートウェイ装置との間の接続の確立など、代理サーバでは計測できない携帯電話ネットワーク内での通信のオーバーヘッドも課金の対象となる。これらのオーバーヘッドを考慮しない特許文献１の通信料金算定システムでは、携帯電話事業者による課金との誤差はさらに大きくなる。【００１３】
そこで、本発明が解決しようとする課題は、上記問題点を鑑みて発明されたものであって、携帯電話を使った情報通信において、携帯電話が情報サーバを利用する場合の通信料金を、携帯電話事業者の課金に対して誤差を少なくする算定するための、通信料金算定システムを提供することにある。
【課題を解決するための手段】
【００１４】
上記課題を解決する第１の発明は、携帯電話ネットワークと、前記携帯電話ネットワークに接続する携帯電話端末と、前記携帯電話ネットワークに設置されるゲートウェイ装置と、情報サーバによって構成され、前記携帯電話端末は前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記携帯電話端末は、前記ゲートウェイ装置から受信した下りデータに関する情報を前記情報サーバに通知し、
前記情報サーバは、前記携帯電話と通信されるデータ量から、前記携帯電話ネットワーク内における通信量を算出するための通信量算出式を有し、
前記ゲートウェイ装置を経由して前記携帯電話端末から受信した上りデータ量と、前記携帯電話端末から通知される下りデータに関する情報と、前記通信量算出式とによって、前記携帯電話ネットワーク内における通信量を算出して利用料金を算定することを特徴とする。【００１５】
上記課題を解決する第２の発明は、携帯電話ネットワークと、前記携帯電話ネットワークに接続する携帯電話端末と、前記携帯電話ネットワークに設置されるゲートウェイ装置と、情報サーバによって構成され、前記情報サーバと前記携帯電話端末は前記ゲートウェイ装置を経由して通信し、前記情報サーバと前記携帯電話端末との通信にかかる携帯電話ネットワークの利用料金を前記情報サーバで算定する携帯電話通信の通信料金算定システムであって、
前記ゲートウェイ装置は、前記ゲートウェイ装置から前記携帯電話端末に送信した下りデータに関する情報を前記情報サーバに通知し、
前記情報サーバは、前記携帯電話と通信されるデータ量から、前記携帯電話ネットワーク内における通信量を算出するための通信量算出式を有し、
前記ゲートウェイ装置を経由して前記携帯電話端末から受信した上りデータ量と、前記ゲートウェイ装置から通知される前記下りデータに関する情報と、前記通信量算出式とによって、前記携帯電話ネットワーク内における通信量を算出して利用料金を算定することを特徴とする。【００１６】
上記課題を解決する第３の発明は、２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記情報サーバは、前記携帯電話端末との通信において、当該携帯電話端末が接続する前記携帯電話ネットワークを特定する手段を有し、
また、前記２つ以上の携帯電話ネットワークの各々について、当該携帯電話ネットワークに接続する前記携帯電話端末と通信されるデータ量から、当該携帯電話ネットワーク内における通信量を算出するための通信量算出式を有し、
前記携帯電話端末は、当該携帯電話端末が接続する携帯電話ネットワークに設置された前記ゲートウェイ装置から受信した下りデータに関する情報を前記情報サーバに通知し、
前記情報サーバは、前記ゲートウェイ装置を経由して前記携帯電話端末から受信した上りデータ量と、前記下りデータに関する情報と、当該携帯電話端末が接続する前記携帯電話ネットワークに対応した前記通信量算出式によって当該携帯電話ネットワーク内における通信量を算出し、利用料金を算定することを特徴とする。【００１７】
上記課題を解決する第４の発明は、２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記情報サーバは、前記携帯電話端末との通信において、当該携帯電話端末が接続する前記携帯電話ネットワークを特定する手段を有し、
また、前記２つ以上の携帯電話ネットワークの各々について、当該携帯電話ネットワークに接続する前記携帯電話端末と通信されるデータ量から、当該携帯電話ネットワーク内における通信量を算出するための通信量算出式を有し、
前記ゲートウェイ装置は、当該ゲートウェイ装置が設定された前記携帯電話ネットワークに接続する前記携帯電話端末に送信した下りデータに関する情報を前記情報サーバに通知し、
前記情報サーバは、前記ゲートウェイ装置を経由して前記携帯電話端末から受信した上りデータ量と、前記下りデータに関する情報と、当該携帯電話端末が接続する前記携帯電話ネットワークに対応した前記通信量算出式によって当該携帯電話ネットワーク内における通信量を算出し、利用料金を算定することを特徴とする。【００１８】
上記課題を解決する第５の発明は、上記第１から第４のいずれかの発明において、前記情報サーバから前記携帯電話端末に送信される下りデータには、当該下りデータを識別するための情報識別子が付随し、前記下りデータに関する情報は、前記携帯電話端末が最後に受信に成功した前記下りデータに付随する前記情報識別子であって、
前記情報サーバは、前記携帯電話端末に下りデータを送信した場合に、当該下りデータに付随する前記情報識別子と当該データのサイズを記憶し、
前記下りデータに関する情報を前記携帯電話端末から受け取った場合に、当該情報識別子が前記記憶された情報識別子と一致した場合に、前記記憶されたデータのサイズから、前記通信量算出式によって前記携帯電話ネットワーク内における通信量を計算するとともに、前記情報識別子を記憶から削除することを特徴とする。【００１９】
上記課題を解決する第６の発明は、上記第１から第４のいずれかの発明において、前記情報サーバから前記携帯電話端末に送信される下りデータには、当該下りデータを識別するための情報識別子が付随し、前記下りデータに関する情報は、前記携帯電話端末が最後に受信した下りデータに付随する前記情報識別子と受信した下りデータ量であって、
前記情報サーバは、前記携帯電話端末に下りデータを送信した場合に、当該データに付随する前記情報識別子を記憶し、
前記下りデータに関する情報を前記携帯電話端末から受け取った場合に、当該情報識別子が前記記憶された情報識別子と一致した場合に、当該データ量から、前記通信量算出式によって前記携帯電話ネットワーク内における通信量を計算するとともに、前記情報識別子を記憶から削除することを特徴とする。【００２０】
上記課題を解決する第７の発明は、携帯電話ネットワークと、前記携帯電話ネットワークに接続する携帯電話端末と、前記携帯電話ネットワークに設置されるゲートウェイ装置と、情報サーバによって構成され、前記携帯電話端末は前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記携帯電話端末は、
データ送信時に自端末を識別する端末識別子を送信する手段と、
前記ゲートウェイ装置から受信した下りデータに関する情報を前記情報サーバに送信する手段とを有し、
前記情報サーバは、
前記端末識別子から特定される携帯電話端末の前記携帯電話ネットワーク内における通信量を算出するための通信量算出式と、前記ゲートウェイ装置を経由して前記携帯電話端末から受信した上りデータ量と、前記携帯電話端末から通知される下りデータに関する情報から求まる下りデータ量とに基づいて、前記携帯電話ネットワーク内における通信量を算出して、前記携帯電話端末の利用料金を算定する手段を有する
ことを特徴とする。【００２１】
上記課題を解決する第８の発明は、携帯電話ネットワークと、前記携帯電話ネットワークに接続する携帯電話端末と、前記携帯電話ネットワークに設置されるゲートウェイ装置と、情報サーバによって構成され、前記情報サーバと前記携帯電話端末は前記ゲートウェイ装置を経由して通信し、前記情報サーバと前記携帯電話端末との通信にかかる携帯電話ネットワークの利用料金を前記情報サーバで算定する携帯電話通信の通信料金算定システムであって、
前記携帯電話端末は、データ送信時に自端末を識別する端末識別子を送信する手段を有し、
前記ゲートウェイ装置は、自装置から前記携帯電話端末に送信した下りデータに関する情報を前記情報サーバに通知する手段を有し、
前記情報サーバは、前記端末識別子から特定される携帯電話端末の前記携帯電話ネットワーク内における通信量を算出するための通信量算出式と、前記ゲートウェイ装置を経由して前記携帯電話端末から受信した上りデータ量と、前記ゲートウェイ装置から通知される前記下りデータから求まる下りデータ量とに基づいて、前記携帯電話ネットワーク内における通信量を算出して、前記携帯電話端末の利用料金を算定する手段を有する
ことを特徴とする。【００２２】
上記課題を解決する第９の発明は、２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記携帯電話端末は、
データ送信時に自端末を識別する端末識別子を送信する手段と、
当該携帯電話端末が接続する携帯電話ネットワークに設置された前記ゲートウェイ装置から受信した下りデータに関する情報を前記情報サーバに通知する手段と
を有し、
前記情報サーバは、
前記携帯電話端末との通信において、当該携帯電話端末が接続する前記携帯電話ネットワークを特定する手段と、
前記ゲートウェイ装置を経由して前記携帯電話端末から受信した上りデータ量と、前記下りデータに関する情報と、前記端末識別子で特定される携帯電話端末が接続する前記携帯電話ネットワークに対応した通信量算出式とに基づいて、携帯電話ネットワーク内における通信量を算出し、前記携帯電話端末の利用料金を算定する手段と
を有する
ことを特徴とする。【００２３】
上記課題を解決する第１０の発明は、２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定システムであって、
前記携帯電話端末は、データ送信時に自端末を識別する端末識別子を送信する手段と、
前記ゲートウェイ装置は、当該ゲートウェイ装置が設定された前記携帯電話ネットワークに接続する前記携帯電話端末に送信した下りデータに関する情報を前記情報サーバに通知する手段を有し、
前記情報サーバは、前記携帯電話端末との通信において、当該携帯電話端末が接続する前記携帯電話ネットワークを特定する手段と、
前記ゲートウェイ装置を経由して前記携帯電話端末から受信した上りデータ量と、前記下りデータに関する情報と、前記端末識別子で特定される携帯電話端末が接続する前記携帯電話ネットワークに対応した通信量算出式によって当該携帯電話ネットワーク内における通信量を算出し、利用料金を算定する手段とを有する
ことを特徴とする。【００２４】
上記課題を解決する第１１の発明は、上記第７から第１０のいずれかの発明において、前記情報サーバから前記携帯電話端末に送信される下りデータには、当該下りデータを識別するための情報識別子が付随し、
前記下りデータに関する情報は、前記携帯電話端末が最後に受信に成功した前記下りデータに付随する前記情報識別子であって、
前記情報サーバは、前記携帯電話端末に下りデータを送信した場合に、当該下りデータに付随する前記情報識別子と当該データのサイズを記憶し、前記下りデータに関する情報を前記携帯電話端末から受け取った場合に、当該情報識別子が前記記憶された情報識別子と一致した場合に、前記記憶されたデータのサイズから、前記通信量算出式によって前記携帯電話ネットワーク内における通信量を計算するとともに、前記情報識別子を記憶から削除する手段を有することを特徴とする。【００２５】
上記課題を解決する第１２の発明は、上記第７から第１０のいずれかの発明において、前記情報サーバから前記携帯電話端末に送信される下りデータには、当該下りデータを識別するための情報識別子が付随し、
前記下りデータに関する情報は、前記携帯電話端末が最後に受信した下りデータに付随する前記情報識別子と受信した下りデータ量であって、
前記情報サーバは、前記携帯電話端末に下りデータを送信した場合に、当該データに付随する前記情報識別子を記憶し、前記下りデータに関する情報を前記携帯電話端末から受け取った場合に、当該情報識別子が前記記憶された情報識別子と一致した場合に、当該データ量から、前記通信量算出式によって前記携帯電話ネットワーク内における通信量を計算するとともに、前記情報識別子を記憶から削除する手段を有することを特徴とする。【００２６】
上記課題を解決する第１３の発明は、携帯電話ネットワークと、前記携帯電話ネットワークに接続する携帯電話端末と、前記携帯電話ネットワークに設置されるゲートウェイ装置と、情報サーバによって構成され、前記携帯電話端末は前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定方法であって、
前記携帯電話端末から、前記ゲートウェイ装置から受信した下りデータに関する情報を前記情報サーバに通知し、
前記情報サーバによって、前記ゲートウェイ装置を経由して前記携帯電話端末から受信した上りデータ量と、前記携帯電話端末から通知される下りデータに関する情報と、前記携帯電話と通信されるデータ量から、前記携帯電話ネットワーク内における通信量を算出するための通信量算出式とによって、前記携帯電話ネットワーク内における通信量を算出して利用料金を算定することを特徴とする。【００２７】
上記課題を解決する第１４の発明は、携帯電話ネットワークと、前記携帯電話ネットワークに接続する携帯電話端末と、前記携帯電話ネットワークに設置されるゲートウェイ装置と、情報サーバによって構成され、前記情報サーバと前記携帯電話端末は前記ゲートウェイ装置を経由して通信し、前記情報サーバと前記携帯電話端末との通信にかかる携帯電話ネットワークの利用料金を前記情報サーバで算定する携帯電話通信の通信料金算定方法であって、
前記ゲートウェイ装置から前記携帯電話端末に送信した下りデータに関する情報を前記情報サーバに通知し、
前記情報サーバによって、前記ゲートウェイ装置を経由して前記携帯電話端末から受信した上りデータ量と、前記ゲートウェイ装置から通知される前記下りデータに関する情報と、前記携帯電話と通信されるデータ量から、前記携帯電話ネットワーク内における通信量を算出するための通信量算出式とによって、前記携帯電話ネットワーク内における通信量を算出して利用料金を算定することを特徴とする。【００２８】
上記課題を解決する第１５の発明は、２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定方法であって、
前記情報サーバによって、前記携帯電話端末との通信において、当該携帯電話端末が接続する前記携帯電話ネットワークを特定し、
前記携帯電話端末は、当該携帯電話端末が接続する携帯電話ネットワークに設置された前記ゲートウェイ装置から受信した下りデータに関する情報を前記情報サーバに通知し、
前記情報サーバによって、前記ゲートウェイ装置を経由して前記携帯電話端末から受信した上りデータ量と、前記下りデータに関する情報と、前記２つ以上の携帯電話ネットワークの各々について、当該携帯電話ネットワークに接続する前記携帯電話端末と通信されるデータ量から、当該携帯電話ネットワーク内における通信量を算出するための通信量算出式によって当該携帯電話ネットワーク内における通信量を算出し、利用料金を算定することを特徴とする。【００２９】
上記課題を解決する第１６の発明は、２つ以上の携帯電話ネットワークと、前記携帯電話ネットワークの各々に接続する携帯電話端末と、前記２つ以上の携帯電話ネットワークの各々に設置されるゲートウェイ装置と、情報サーバによって構成され、前記携帯電話端末は、当該携帯電話端末が接続する携帯電話ネットワークに設置された前記ゲートウェイ装置を経由して前記情報サーバと通信し、前記情報サーバと前記携帯電話端末との通信にかかる携帯電話ネットワークの利用料金を前記情報サーバで算定する携帯電話通信の通信料金算定方法であって、
前記情報サーバにより、前記携帯電話端末との通信において、当該携帯電話端末が接続する前記携帯電話ネットワークを特定し、
前記ゲートウェイ装置から、当該ゲートウェイ装置が設定された前記携帯電話ネットワークに接続する前記携帯電話端末に送信した下りデータに関する情報を前記情報サーバに通知し、
前記情報サーバは、前記ゲートウェイ装置を経由して前記携帯電話端末から受信した上りデータ量と、前記下りデータに関する情報と、前記２つ以上の携帯電話ネットワークの各々について、当該携帯電話ネットワークに接続する前記携帯電話端末と通信されるデータ量から、当該携帯電話ネットワーク内における通信量を算出するための通信量算出式とによって当該携帯電話ネットワーク内における通信量を算出し、利用料金を算定することを特徴とする。【００３０】
上記課題を解決する第１７の発明は、上記第１３から第１６のいずれかの発明において、前記情報サーバから前記携帯電話端末に送信される下りデータには、当該下りデータを識別するための情報識別子が付随し、
前記下りデータに関する情報は、前記携帯電話端末が最後に受信に成功した前記下りデータに付随する前記情報識別子であり、
前記情報サーバは、前記携帯電話端末に下りデータを送信した場合に、当該下りデータに付随する前記情報識別子と当該データのサイズを記憶し、
前記下りデータに関する情報を前記携帯電話端末から受け取った場合に、当該情報識別子が前記記憶された情報識別子と一致した場合に、前記記憶されたデータのサイズから、前記通信量算出式によって前記携帯電話ネットワーク内における通信量を計算するとともに、前記情報識別子を記憶から削除することを特徴とする。【００３１】
上記課題を解決する第１８の発明は、上記第１３から第１６のいずれかの発明において、前記情報サーバから前記携帯電話端末に送信される下りデータには、当該下りデータを識別するための情報識別子が付随し、
前記下りデータに関する情報は、前記携帯電話端末が最後に受信した下りデータに付随する前記情報識別子と受信した下りデータ量であり、
前記情報サーバは、前記携帯電話端末に下りデータを送信した場合に、当該データに付随する前記情報識別子を記憶し、
前記下りデータに関する情報を前記携帯電話端末から受け取った場合に、当該情報識別子が前記記憶された情報識別子と一致した場合に、当該データ量から、前記通信量算出式によって前記携帯電話ネットワーク内における通信量を計算するとともに、前記情報識別子を記憶から削除することを特徴とする。【００３２】
上記課題を解決する第１９の発明は、携帯電話ネットワークと、前記携帯電話ネットワークに接続する携帯電話端末と、前記携帯電話ネットワークに設置されるゲートウェイ装置と、情報サーバとによって構成される通信システムにおいて、前記携帯電話端末は前記ゲートウェイ装置を経由して前記情報サーバと通信し、前記情報サーバと前記携帯電話端末との通信にかかる携帯電話ネットワークの利用料金を算定する情報サーバであって、
前記ゲートウェイ装置を経由して前記携帯電話端末から受信した上りデータ量と、前記携帯電話端末から通知される下りデータに関する情報又は前記ゲートウェイ装置から通知される前記下りデータに関する情報と、前記携帯電話と通信されるデータ量に基づいて前記携帯電話ネットワーク内における通信量を算出するための通信量算出式とによって、前記携帯電話ネットワーク内における通信量を算出して利用料金を算定する手段を有することを特徴とする。【００３３】
上記課題を解決する第２０の発明は、上記第１９の発明において、携帯電話端末が接続する携帯電話ネットワークを特定する手段を有し、特定された携帯電話ネットワークに対応する通信量算出式によって、利用料金を算定することを特徴とする。【００３４】
上記課題を解決する第２１の発明は、上記第１９又は第２０の発明において、前記情報サーバから前記携帯電話端末に送信される下りデータには、当該下りデータを識別するための情報識別子が付随し、前記下りデータに関する情報は、前記携帯電話端末が最後に受信に成功した前記下りデータに付随する前記情報識別子であって、
前記情報サーバは、前記携帯電話端末に下りデータを送信した場合に、当該下りデータに付随する前記情報識別子と当該データのサイズを記憶し、
前記下りデータに関する情報を前記携帯電話端末から受け取った場合に、当該情報識別子が前記記憶された情報識別子と一致した場合に、前記記憶されたデータのサイズから、前記通信量算出式によって前記携帯電話ネットワーク内における通信量を計算するとともに、前記情報識別子を記憶から削除することを特徴とする。【００３５】
上記課題を解決する第２２の発明は、上記第１９又は第２０の発明において、前記情報サーバから前記携帯電話端末に送信される下りデータには、当該下りデータを識別するための情報識別子が付随し、前記下りデータに関する情報は、前記携帯電話端末が最後に受信した下りデータに付随する前記情報識別子と受信した下りデータ量であって、
前記情報サーバは、前記携帯電話端末に下りデータを送信した場合に、当該データに付随する前記情報識別子を記憶し、
前記下りデータに関する情報を前記携帯電話端末から受け取った場合に、当該情報識別子が前記記憶された情報識別子と一致した場合に、当該データ量から、前記通信量算出式によって前記携帯電話ネットワーク内における通信量を計算するとともに、前記情報識別子を記憶から削除することを特徴とする。【００３６】
上記課題を解決する第２３の発明は、携帯電話ネットワークと、前記携帯電話ネットワークに接続する携帯電話端末と、前記携帯電話ネットワークに設置されるゲートウェイ装置と、情報サーバによって構成され、前記携帯電話端末は前記ゲートウェイ装置を経由して前記情報サーバと通信し、前記情報サーバと前記携帯電話端末との通信にかかる携帯電話ネットワークの利用料金を前記情報サーバで算定する通信システムにおける、携帯電話端末であって、
データ送信時に自端末を識別する端末識別子を送信する手段と、受信した下りデータに関する情報を前記情報サーバに送信する手段とを有することを特徴とする。【００３７】
上記課題を解決する第２４の発明は、携帯電話ネットワークと、前記携帯電話ネットワークに接続する携帯電話端末と、前記携帯電話ネットワークに設置されるゲートウェイ装置と、情報サーバとによって構成される通信システムにおいて、前記携帯電話端末は前記ゲートウェイ装置を経由して前記情報サーバと通信し、前記情報サーバと前記携帯電話端末との通信にかかる携帯電話ネットワークの利用料金を算定する情報サーバのプログラムであって、前記プログラムは、前記情報サーバに、前記ゲートウェイ装置を経由して前記携帯電話端末から受信した上りデータ量と、前記携帯電話端末から通知される下りデータに関する情報又は前記ゲートウェイ装置から通知される前記下りデータに関する情報と、前記携帯電話と通信されるデータ量に基づいて前記携帯電話ネットワーク内における通信量を算出するための通信量算出式とによって、前記携帯電話ネットワーク内における通信量を算出して利用料金を算定する処理を実行させることを特徴とする。【００３８】
上記課題を解決する第２５の発明は、上記第２４の発明において、前記プログラムは、前記情報サーバに、携帯電話端末が接続する携帯電話ネットワークを特定し、特定された携帯電話ネットワークに対応する通信量算出式によって、利用料金を算定する処理を実行させることを特徴とする。【００３９】
上記課題を解決する第２６の発明は、上記第２４又は第２５の発明において、前記情報サーバから前記携帯電話端末に送信される下りデータには、当該下りデータを識別するための情報識別子が付随し、前記下りデータに関する情報は、前記携帯電話端末が最後に受信に成功した前記下りデータに付随する前記情報識別子であり、前記プログラムは、前記情報サーバに、前記携帯電話端末に下りデータを送信した場合に、当該下りデータに付随する前記情報識別子と当該データのサイズを記憶する処理と、前記下りデータに関する情報を前記携帯電話端末から受け取った場合に、当該情報識別子が前記記憶された情報識別子と一致した場合に、前記記憶されたデータのサイズから、前記通信量算出式によって前記携帯電話ネットワーク内における通信量を計算するとともに、前記情報識別子を記憶から削除する処理とを実行させることを特徴とする。【００４０】
上記課題を解決する第２７の発明は、上記第２４又は第２５の発明において、前記情報サーバから前記携帯電話端末に送信される下りデータには、当該下りデータを識別するための情報識別子が付随し、前記下りデータに関する情報は、前記携帯電話端末が最後に受信した下りデータに付随する前記情報識別子と受信した下りデータ量であり、前記プログラムは、前記情報サーバに、前記携帯電話端末に下りデータを送信した場合に、当該データに付随する前記情報識別子を記憶する処理と、前記下りデータに関する情報を前記携帯電話端末から受け取った場合に、当該情報識別子が前記記憶された情報識別子と一致した場合に、当該データ量から、前記通信量算出式によって前記携帯電話ネットワーク内における通信量を計算するとともに、前記情報識別子を記憶から削除する処理とを実行させることを特徴とする。【００４１】
上記課題を解決する第２８の発明は、携帯電話ネットワークと、前記携帯電話ネットワークに接続する携帯電話端末と、前記携帯電話ネットワークに設置されるゲートウェイ装置と、情報サーバによって構成され、前記携帯電話端末は前記ゲートウェイ装置を経由して前記情報サーバと通信し、前記情報サーバと前記携帯電話端末との通信にかかる携帯電話ネットワークの利用料金を前記情報サーバで算定する通信システムにおける、携帯電話端末のプログラムであって、
前記プログラムは、前記携帯電話端末に、データ送信時に自端末を識別する端末識別子を送信する処理と、受信した下りデータに関する情報を前記情報サーバに送信する処理とを実行させることを特徴とする。
【発明の効果】
【００４２】
本発明によると、情報サーバと携帯電話端末との通信における通信料金の算定と、携帯電話事業者による課金との誤差を少なくすることが可能となる。これは、通信量計算の元となる情報サーバから携帯電話端末に送信する下りデータ情報として、情報サーバがゲートウェイ装置に送信したデータの情報ではなく、携帯電話事業者による実際の課金の対象となる、ゲートウェイ装置から携帯電話端末に送信されたデータの情報を用いるからである。
【図面の簡単な説明】
【００４３】
【図１】本発明の実施例１における通信料金算定システムの構成例を示すブロック図である。
【図２】本発明の実施例１における通信料金算定システムの携帯電話端末の構成を示すブロック図である。
【図３】本発明における通信料金算定システムの情報サーバの構成を示すブロック図である。
【図４】本発明の実施例１の手順を示すシーケンス図である。
【図５】本発明の実施例２の手順を示すシーケンス図である。
【図６】本発明の実施例３における通信料金算定システムの携帯電話端末の構成を示すブロック図である。
【図７】本発明の実施例３におけるゲートウェイ装置の構成を示すブロック図である。
【図８】本発明の実施例３の手順を示すシーケンス図である。
【図９】本発明の実施例４における通信料金算定システムの構成例を示すブロック図である。
【図１０】本発明の実施例４における情報サーバの構成を示すブロック図である。
【図１１】本発明の実施例４における情報サーバの通信量算出式記憶領域の内容を示す図である。
【図１２】本発明の実施例４の手順を示すシーケンス図である。
【図１３】従来技術の構成図である。
【符号の説明】
【００４４】
１０１      携帯電話ネットワーク
１０２      ゲートウェイ装置
１０３      携帯電話端末
１０４      情報サーバ
【発明を実施するための最良の形態】
【００４５】
本発明は、通信量計算の元となる情報サーバ１０４から携帯電話端末１０３に送信する下りデータ情報として、情報サーバ１０４がゲートウェイ装置１０２に送信したデータの情報ではなく、携帯電話事業者による実際の課金の対象となる、ゲートウェイ装置１０２から携帯電話端末１０３に送信されたデータの情報を用いる。【００４６】
この為、携帯電話端末１０３は、ゲートウェイ装置１０２から受信した下りデータに関する情報を情報サーバに通知する。情報サーバ１０４はゲートウェイ装置１０２を経由して携帯電話端末１０３から受信した上りデータ量と、携帯電話端末１０３から通知される下りデータに関する情報と、携帯電話端末１０３と通信されるデータ量から、携帯電話ネットワーク１０１内における通信量を算出するための通信量算出式とによって、携帯電話ネットワーク１０１内における通信量を算出して利用料金を算定する。【００４７】
以下、具体的な実施例を説明する。
【実施例１】
【００４８】
本発明における実施例１による携帯電話通信の通信料金算定システムについて図面を参照して説明する。【００４９】
図１は、本発明の実施例１による通信料金算定システムの構成例を示したものである。【００５０】
本発明の通信料金算定システムは、携帯電話ネットワーク１０１と、ゲートウェイ装置１０２と、携帯電話端末１０３と、情報サーバ１０４とにより構成される。図１においては説明を簡単にするために、携帯電話端末１０３は１台としているが、複数台あってもよい。【００５１】
携帯電話端末１０３は、携帯電話ネットワーク１０１に接続され、携帯電話ネットワークに接続されたゲートウェイ装置１０２を経由して情報サーバ１０４と通信する。【００５２】
図２は、本発明の実施例１による通信料金算定システムの、携帯電話端末１０３の構成を示したものである。【００５３】
携帯電話端末１０３は、通信手段２０１と、下りデータ情報記憶手段２０２とによって構成される。【００５４】
通信手段２０１は、携帯電話ネットワーク１０１およびゲートウェイ装置１０２を経由した情報サーバ１０４との通信を行なう機能を有する。携帯電話端末１０３には、他の携帯電話端末を識別するための端末識別情報が付与されている。通信手段２０１は、端末識別情報を属性に持つデータ要求２１１を情報サーバ１０４に送信し、情報サーバ１０４からデータ２１２を取得する。ここで、データ要求の方法としては、携帯電話端末１０３がブラウザ機能をもち、ＨＴＴＰ（Hyper Text Transfer Protocol）によってデータ要求を行なう方法があるが、データ要求の方法はこの限りではない。情報サーバ１０４との間で暗号通信を行なう場合には、通信手段２０１が暗号および復号を行なう。また、通信手段２０１は、情報サーバ１０４からの下りデータ２１１を取得して、下りデータの取得に成功した場合に、データに付随する情報識別子を下りデータ情報記憶手段２０２に記憶する機能を有する。さらに、通信手段２０１は、下りデータ情報記憶手段２０２に記憶された情報識別子を読み出し、下りデータ情報として情報サーバ１０４に通知する機能を有する。ここで、下りデータ情報を情報サーバ１０４に通知する方法として、データ要求と同時に通知する方法があるがこの限りではない。【００５５】
図３は、本発明の実施例１による通信料金算定システムの、情報サーバ１０４の構成を示したものである。【００５６】
情報サーバ１０４は、通信手段３０１と、下りデータ情報記憶手段３０２と、通信量算出手段３０３と、通信料金算定手段３０４によって構成される。【００５７】
通信手段３０１は、ゲートウェイ１０２を経由して携帯電話端末１０３との通信を行ない、携帯電話端末１０３からのデータ要求３１１に対してデータ３１２を提供する。携帯電話端末１０３と暗号通信を行なう場合には、通信機能３０１が暗号および復号を行なう。データ要求３１１には、携帯電話端末１０３を識別するための端末識別情報が付与されている。携帯電話端末１０３がデータ要求３１１と同時に下りデータ情報を通知する場合もある。通信手段３０１は、携帯電話端末１０２にデータ３１２を送信する場合に、データを一意に識別するための情報識別子を付与し、この情報識別子とデータのサイズを下りデータ情報記憶手段３０２に記憶する。また通信手段３０１は、データ要求３１１を受信すると、携帯電話から送られたデータ（上りデータ）のサイズを取得して、端末識別情報とともに通信量算出手段３０３に渡す。また、携帯電話端末１０３から下りデータ情報の通知を受け付けると、通知された下りデータ情報に含まれる情報識別子が、下りデータ情報記憶手段３０２に記憶された情報識別子と一致するか確認し、一致した場合に、下りデータ情報記憶手段３０２に記憶されたデータサイズと端末識別情報とを通信量算出手段３０３に渡して、下りデータ情報記憶手段３０２の記憶をクリアする。【００５８】
通信量算出手段３０３は、通信機能３０１からデータサイズおよび端末識別情報を渡されると、そのデータサイズから、ゲートウェイ装置１０２と携帯電話端末１０３との間における課金対象通信量３１４を算出し、端末識別情報とともに通信料金算定手段３０４に渡す。ここで、課金対象通信量を算出する方法には、ゲートウェイ装置１０２と携帯電話端末１０３が通信路を確立するために交換されるデータの量を加算したり、データが分割送信される場合には分割によるオーバーヘッドを加算したり、暗号通信が行なわれる場合には暗号化および復号のために必要なデータ量を加算したりする方法などが考えられるがこの限りではない。【００５９】
通信料金算定手段３０４では、携帯電話端末１０３に対する、課金対象通信量から通信料金を求める計算式を持つ。通信量算出手段３０３から課金対象通信量と端末識別情を渡され、端末ごとに決められた計算式から通信料金を算定する。【００６０】
図１、図２、図３および図４を併せ参照して、本発明の第１の実施例による通信料金算定システムにおける通信料金算定動作を説明する。【００６１】
携帯電話端末１０４からの下りデータ情報の通知は、情報サーバ１０４へのデータ要求と同時に行なわれるものとする。【００６２】
図４は、本発明の第１の実施例による通信料金算定システムにおいて、携帯電話端末１０４のデータ要求から通信料金を算定するまでの手順を示したものである。【００６３】
携帯電話端末１０３は情報サーバ１０４にデータ要求を行なう（ステップ４０１）。【００６４】
情報サーバ１０４は、データ要求を受信すると、通信機能３０１が上りデータサイズを取得し、またデータ要求に含まれる端末識別情報を取得し、これらを通信量算出手段３０３に渡す（ステップ４０２）。【００６５】
通信量算出手段３０３は、上りデータのサイズから課金対象通信量を算出して通信料金算定手段３０４に、端末識別情報ととともに渡し、通信料金算定手段３０４が、端末識別情報から特定される計算式を使って、課金対象通信量から通信料金を算定する（ステップ４０３）。【００６６】
情報サーバ１０４は、携帯電話端末１０３から要求されたデータを生成し、情報識別子を生成し、生成したデータのサイズと情報識別子を下りデータ情報記憶領域３０２に記憶する（ステップ４０４）。【００６７】
情報サーバ１０４は携帯電話端末１０３への下りデータを送信し、このとき情報識別子を付随させる（ステップ４０５）。【００６８】
携帯電話端末１０３は、下りデータの受信に成功すると、データに付随する情報識別子を下りデータ情報記憶領域２０２に記憶する（ステップ４０６）。【００６９】
携帯電話端末１０３がデータ要求を行なう際には、下りデータ記憶領域２０２に記憶された情報識別子を下りデータ情報として併せて通知する（ステップ４０７）。【００７０】
情報サーバ１０４では、データ要求に下りデータ情報が含まれる場合、下りデータ情報記憶領域３０２からに記憶された情報識別子とデータサイズを読み出し、読み出した情報識別子が通知された下りデータ情報に含まれる情報識別子と一致した場合に、下りデータ記憶領域３０２をクリアする（ステップ４０８）。【００７１】
情報サーバ１０４は、ステップ４０８で取得したデータサイズとデータ要求に含まれる端末識別情報を通信量算出手段３０３に渡す（ステップ４０９）。【００７２】
通信量算出手段３０３は、課金対象通信量を算出して端末識別情報とともに通信料金算定手段３０４に渡し、通信料金算定手段３０４が、端末識別情報から特定される計算式を使って、課金対象通信量から通信料金を算定する（ステップ４１０）。【００７３】
ステップ４１１から４１５までの動作は、先に説明したステップ４０２から４０６の動作とそれぞれ同じであるため、説明を省略する。【００７４】
なお、ステップ４０８からステップ４１０までの手順をステップ４１１からステップ４１２までの手順と入れ替え、上りデータについての通信料金算出を先に行なう構成であっても良い。また、ステップ４１０をスキップし、ステップ４１１までのステップで上りデータ量、下りデータ量、端末識別情報を取得した時点でこれらの情報を通信量算定手段３０３に渡し、通信量算定手段３０３で上りデータ量と下りデータ量のそれぞれに対する課金対象通信量を算出して端末識別情報とともに通信料金算定手段３０４に渡し、通信料金算定手段３０４が、端末識別情報から特定される計算式を使って、課金対象通信量から通信料金を算定する構成であっても良い。
【実施例２】
【００７５】
本発明の実施例２による携帯電話通信の通信料金算定システムについて図面を参照して説明する。【００７６】
本発明の実施例２による通信料金算定システムのシステム構成は、図１に示した実施例１の構成と同様の構成であるため、同様の構成については同一番号を付し、詳細な説明を省略する。【００７７】
本発明の実施例２による通信料金算定システムの携帯電話端末１０３の構成は、図２に示した実施例１による通信料金算定システムの携帯電話端末の構成と同じであるが、下りデータ情報記憶手段２０２に記憶する情報が実施例１による携帯電話端末と異なる。【００７８】
実施例２の通信料金算定システムにおける携帯電話端末１０３の通信機能２０１は、情報サーバ１０４からの下りデータ２１１を取得した場合、データに付随する情報識別子と、受信したデータ量を下りデータ情報記憶手段２０２に記憶する。ここで、携帯電話ネットワークの通信状況の劣化により、下りデータの受信が完全に行なわれなかった場合にも、途中まで受信したデータの量が下りデータ情報記憶手段２０２に記憶されるものとする。【００７９】
通信機能２０１は、下りデータ情報記憶手段２０２に記憶された情報識別子と受信データ量を読み出し、これらの下りデータ情報を情報サーバ１０４に通知する機能を有する。【００８０】
本発明の実施例２による通信料金算定システムの情報サーバ１０４の構成は、図３に示した実施例１による通信料金算定システムの情報サーバの構成と同じであるが、下りデータ情報記憶手段３０２に記憶する情報が実施例１による情報サーバと異なり、下りデータに付随する情報識別子のみを記憶する。【００８１】
また、本発明の実施例２による通信料金算定システムにおける情報サーバ１０４の通信機能の動作は、携帯電話端末から下りデータ情報を通知された場合の動作以外は、実施例１による情報サーバ１０４の通信機能と同じとなる。実施例２による通信料金算定システムにおける情報サーバの通信機能は、携帯電話端末から下りデータ情報を通知されると、通知された下りデータ情報に含まれる情報識別子が下りデータ情報記憶手段３０２に記憶された情報識別子と一致するかを確認し、一致した場合に、通知された下りデータ情報に含まれる下りデータサイズと端末識別情報を通信量算出手段３０３に渡して、下りデータ情報記憶手段３０２の記憶をクリアする。【００８２】
本発明の実施例２による通信料金算定システムの通信量算出手段および通信料金算定手段は、それぞれ実施例１による通信料金算定システムの通信量算出手段および通信料金算定手段と同じであるため、ここでは説明を省略する。【００８３】
図１、図２、図３および図５を併せ参照して、本発明の実施例２による通信料金算定システムにおける通信料金算定動作を説明する。【００８４】
携帯電話端末１０３からの情報識別子の通知は、情報サーバ１０４へのデータ要求と同時に行なわれるものとする。【００８５】
図５は、本発明の第２の実施例による通信料金算定システムにおいて、携帯電話端末１０４のデータ要求から通信料金を算定するまでの手順を示したものである．図５におけるステップ５０１〜５０３、５０５、５１０〜５１２、５１４の処理は、図４で説明した本発明の実施例１のステップ４０１〜４０３、４０５、４１０〜４１２、４１４の処理とそれぞれ同じであるため、ここでは説明を省略する。また、ステップ５１３の処理は、以下に説明するステップ５０４と同じ処理となる。【００８６】
情報サーバ１０４が携帯電話端末１０３から要求されたデータを生成し、情報識別子を生成し、下りデータ情報記憶領域には情報識別子のみを記憶する（ステップ５０４）。【００８７】
携帯電話端末が下りデータを受信すると、データに付随する情報識別子と受信したデータのサイズを下りデータ情報記憶領域２０２に記憶する（ステップ５０６）。ここで、携帯電話ネットワークの通信状況の劣化により、下りデータの受信が完全に行なわれなかった場合にも、途中まで受信したデータの量が下りデータ情報記憶手段２０２に記憶されるものとする。【００８８】
携帯電話端末がデータ要求を行なう際には、下りデータ記憶領域に記憶された情報識別子とデータサイズを、下りデータ情報として通知する（ステップ５０７）。【００８９】
情報サーバでは、データ要求に下りデータ情報が含まれる場合、下りデータ情報記憶領域に記憶された情報識別子を読み出し、通知された下りデータ情報に含まれる情報識別子と一致した場合には、下りデータ記憶領域をクリアする。ステップ５０９において、情報サーバは、ステップ５０８で通知された下りデータ情報に含まれる下りデータサイズと、データ要求に含まれる端末識別情報を通信量算出手段に渡す（ステップ５０８）。【００９０】
なお、ステップ５０８からステップ５０９までの手順をステップ５１１からステップ５１２までの手順と入れ替え、上りデータについての通信料金算出を先に行なう構成であってもよい。また、ステップ５１０をスキップし、ステップ５１１までのステップで上りデータ量、下りデータ量、端末識別情報を取得した時点でこれらの情報を通信量算定手段に渡し、通信量算定手段で上りデータ量と下りデータ量のそれぞれに対する課金対象通信量を算出して端末識別情報とともに通信料金算定手段に渡し、通信料金算定手段が、端末識別情報から特定される計算式を使って、課金対象通信量から通信料金を算定する構成であっても良い。
【実施例３】
【００９１】
本発明の実施例３による携帯電話通信の通信料金算定システムについて図面を参照して説明する。【００９２】
本発明の実施例３による通信料金算定システムのシステム構成は、図１に示した実施例１の構成と同様の構成であるため、同様の構成については同一番号を付し、詳細な説明を省略する。【００９３】
図６は、本発明の実施例３による通信料金算定システムの、携帯電話端末１０３の構成を示したものであり、通信手段６０１のみから構成される。通信手段６０１は、携帯電話ネットワーク１０１およびゲートウェイ装置１０２を経由した情報サーバ１０４との通信を行なう機能を有し、端末識別情報を属性に持つデータ要求６１１を情報サーバ１０４に送信し、情報サーバ１０４からデータ６１２を取得する。【００９４】
本発明の実施例３による通信料金算定システムの情報サーバ１０４の構成および動作は、上述した実施例１による通信料金算定システムの情報サーバの構成および動作と同じであるため、同様の構成および動作については同一番号を付し、ここでは説明を省略する。【００９５】
図７は、本発明の実施例３による通信料金算定システムの、ゲートウェイ装置１０２の構成を示したものである。【００９６】
ゲートウェイ装置１０２は、通信機能７０１と、下りデータ情報記憶手段７０２とから構成される。【００９７】
通信機能７０１は、情報サーバ１０４から携帯電話端末１０３への下りデータ７１１を終端して、携帯電話端末１０３に転送する。このとき、携帯電話端末１０３への転送が完了するかどうかを監視し、転送が完了した場合のみ、下りデータに付随する情報識別子を下りデータ情報記憶領域に記憶する。また、通信機能７０１は、転送が完了した下りデータの情報識別子を、下りデータ情報として情報サーバに通知する機能を持つ。下りデータ情報を情報サーバに通知する方法としては、例えば携帯電話端末１０３から情報サーバ１０４へのデータ要求７１３を終端し、下りデータ情報記憶領域に記憶された情報識別子を付与して情報サーバ１０４に送出する方法があるが、その方法を限定しない。【００９８】
図１、図３、図６、図７および図８を併せ参照して、本発明の実施例３による通信料金算定システムにおける通信料金算定動作を説明する。【００９９】
ゲートウェイ装置１０２から情報サーバ１０４への下りデータ情報の通知は、携帯電話端末１０３からのデータ要求に付与する方法とする。【０１００】
図８は、本発明の実施例３による通信料金算定システムにおいて、携帯電話端末１０４のデータ要求から通信料金を算定するまでの手順を示したものである。【０１０１】
図８におけるステップ８０３〜８０６、８１２〜８１７の処理は、上述した本発明の実施例１による通信料金算定システムにおいて携帯電話端末のデータ要求から通信料金を算定するまでの手順のステップ４０２〜４０５、４０８〜４１３の処理とそれぞれ同じであるため、ここでは説明を省略する。また、ステップ８１８〜８２０の処理は、以下に説明するステップ８０６〜８０８の処理とそれぞれ同じである。【０１０２】
携帯電話端末からのデータ要求はゲートウェイ装置によって終端され（ステップ８０１）、ゲートウェイ装置は下りデータ情報記憶手段７０２に記憶された情報識別子を下りデータ情報としてデータ要求に付与して情報サーバに送出する（ステップ８０２）。なお、ここではゲートウェイ装置の下りデータ情報記憶手段７０２に記憶された情報はない。【０１０３】
情報サーバが情報識別子の付随した下りデータを携帯電話端末に送信すると、ゲートウェイ装置がその通信を終端し（ステップ８０６）、携帯電話端末に転送する（ステップ８０７）。【０１０４】
このとき、ゲートウェイ装置は携帯電話端末との通信を監視し、下りデータを全て転送したときに下りデータ情報記憶手段に、データに付随する情報識別子を記憶する（ステップ８０８）。【０１０５】
携帯電話端末から送信されたデータ要求は、ゲートウェイ装置によって終端され（ステップ８０９）、ゲートウェイ装置は下りデータ情報記憶手段７０２に記憶された情報識別子を下りデータ情報としてデータ要求に付与し（ステップ８１０）、下りデータ情報の付与したデータ要求を情報サーバに送出する（ステップ８１１）。【０１０６】
なお、ステップ８１２からステップ８１４までの手順をステップ８１５からステップ８１６までの手順と入れ替え、上りデータについての通信料金算出を先に行なう構成であっても良い。また、ステップ８１４をスキップし、ステップ８１４までのステップで上りデータ量、下りデータ量、端末識別情報を取得した時点でこれらの情報を通信量算定手段に渡し、通信量算定手段で上りデータ量と下りデータ量のそれぞれに対する課金対象通信量を算出して端末識別情報とともに通信料金算定手段に渡し、通信料金算定手段が、端末識別情報から特定される計算式を使って、課金対象通信量から通信料金を算定する構成であっても良い。【０１０７】
さらに、実施例２における通信料金算定システムの下りデータ情報と同様、ステップ８０５において情報サーバは下りデータに付与する情報識別子のみを記憶し、ゲートウェイ装置は下りデータを携帯電話端末に全て転送したときにデータに付随する情報識別子を記憶するのではなく、ステップ８０７で携帯電話端末に転送できたデータ量と情報識別子を下りデータ情報として記憶し（ステップ８０８）、ステップ８１０でデータ要求に付与する下りデータ情報は記憶している情報識別子とデータ量であり、ステップ８１３で情報サーバは下りデータ情報として、ステップ８１１で通知される下りデータ情報に含まれたデータ量を使用する構成であっても良い。
【実施例４】
【０１０８】
本発明の実施例４による携帯電話通信の通信料金算定システムについて図面を参照して説明する。【０１０９】
図９は、本発明の実施例４による通信料金算定システムの構成例を示したものである。【０１１０】
本発明の実施例４による通信料金算定システムは、携帯電話ネットワーク９０１、９１１と、ゲートウェイ装置９０２、９１２と、携帯電話端末９０３、９１３と、情報サーバ９３０とにより構成される。ゲートウェイ装置９０２、９１２は、それぞれ携帯電話ネットワーク９０１、９１１に設置される。また、携帯電話端末９０３、９１３はそれぞれ携帯電話ネットワーク９０１、９１１に接続し、それぞれゲートウェイ装置９０２、９１２を径由して情報サーバと通信する。なお、図９では説明を簡単にするために、携帯電話ネットワークの数を２としているが、携帯電話ネットワークの数はいくつあってもよく、そのそれぞれにゲートウェイ装置が設置される。また、図９では説明を簡単にするために、１つの携帯電話ネットワークに接続する携帯電話端末を１台としているが、複数台あってもよい。【０１１１】
本発明の実施例４による通信料金算定システムの、携帯電話端末９０３の構成は、図２で説明した第１の実施例における通信料金算定システムの携帯電話端末１０３の構成と同じである。携帯電話端末９０３の通信手段は、情報サーバへのデータ要求の際に、端末識別情報に加えて携帯電話ネットワークを識別するためのネットワーク識別情報を付随させる点においてのみ、実施例１の通信料金算定システムにおける携帯電話端末１０３の通信手段２０１と異なる。例えば、ＨＴＴＰによってデータ要求を行ない、そのヘッダ情報にネットワーク識別情報を記述する方法があるが、ネットワーク識別情報をデータ要求に付随させる方法はこの限りではない。携帯電話端末９０３の下りデータ情報記憶手段に記憶する情報は、第１の実施例の通信料金算定システムにおける携帯電話端末１０３の下りデータ情報記憶手段２０２に記憶する情報と同じである。【０１１２】
図１０は、本発明の実施例４による通信料金算定システムの、情報サーバ９３０の構成を示したものである。情報サーバ９３０は、通信手段１００１と、下りデータ情報記憶手段１００２と、通信量算出手段１００３と、通信量算出式記憶領域１００４と、通信料金算定手段１００５によって構成される。【０１１３】
情報サーバ９３０の通信手段１００１は、ゲートウェイ９０２、９１２を経由してそれぞれ携帯電話端末９０３、９１３と通信を行ない、携帯電話端末９０３、９１３からのデータ要求１０１１に対してデータ１０１２を提供する。データ要求１０１１には、携帯電話端末を識別するための端末識別情報と、携帯電話端末が接続する携帯電話ネットワークを識別するネットワーク識別情報が付与されている。通信手段１００１は、携帯電話端末にデータ１０１２を送信する場合に、データを一意に識別するための情報識別子を付与し、この情報識別子とデータのサイズを下りデータ情報記憶手段１００２に記憶する。また通信手段１００１は、データ要求１０１１を受信すると、携帯電話端末から送られたデータ（上りデータ）のサイズを取得して、端末識別情報、ネットワーク識別情報とともに通信量算出手段１００３に渡す。また、携帯電話端末から下りデータ情報の通知を受け付けると、通知された下りデータ情報に含まれる情報識別子が、下りデータ情報記憶手段１００２に記憶された情報識別子と一致するか確認し、一致した場合に、下りデータ情報記憶手段１００２に記憶されたデータサイズと端末識別情報とネットワーク識別情報とを通信量算出手段１００３に渡して、下りデータ情報記憶手段１００２の記憶をクリアする。【０１１４】
図１１は、本発明の実施例４による通信料金算定システムの情報サーバ９３０における通信量算出式記憶領域１００４の内容を示したものである。通信量算出式記憶領域１００４には、情報サーバ９３０が通信する携帯電話ネットワーク１１０１のそれぞれに対して、情報サーバ９３０がゲートウェイ装置との間で送受信するデータサイズから、携帯電話端末とゲートウェイ装置との間における課金対象通信量を算出するための通信量算出式１１０２が対応づけられる．課金対象通信量の算出方法としては、ゲートウェイ装置と携帯電話端末が通信路を確立するために交換されるデータの量を加算したり、データが分割送信される場合には分割によるオーバーヘッドを加算したり、暗号通信が行なわれる場合には暗号化および復号のために必要なデータ量を加算したりする方法などが考えられるがこの限りではない。【０１１５】
情報サーバ９３０の通信量算出手段１００３は、通信機能１００１からデータサイズと端末識別情報とネットワーク識別情報を渡されると、ネットワーク識別情報によって特定される携帯電話ネットワークに対応する通信量算出式１０１５を通信量算出式記憶領域１００４から読み出し、データサイズから通信量算出式１０１５を使って課金対象通信量を算出し、算出した課金対象通信量を端末識別情報とともに通信料金算定手段１００５に渡す。【０１１６】
通信料金算定手段１００５では、携帯電話端末に対する、課金対象通信量から通信料金を求める計算式を持ち、通信量算出手段１００３から課金対象通信量と端末識別情を渡され、端末ごとに決められた計算式から通信料金を算定する．
図２、図９、図１０、図１１および図１２を併せ参照して、本発明の実施例４による通信料金算定システムにおける通信料金算定動作を説明する。携帯電話端末からの下りデータ情報の通知は、情報ザーバ９３０へのデータ要求と同時に行なわれるものとする。【０１１７】
図１２は、本発明の実施例４による通信料金算定システムにおいて、携帯電話端末９０３のデータ要求から通信料金を算定するまでの手順を示したものである。なお、携帯電話末９１３によるデータ要求から通信料金を算定するまでの手順も同じである。【０１１８】
携帯電話端末９０３は情報サーバ９３０にデータ要求を行なう（ステップ１２０１）。【０１１９】
情報サーバ９３０は、データ要求を受信すると、通信機能１００１が上りデータサイズを取得し、またデータ要求に含まれる端末識別情報とネットワーク識別情報を取得し、これらを通信量算出手段１００３に渡す（ステップ１２０２）。【０１２０】
通信量算出手段１００３は、ネットワーク識別情報によって識別される携帯電話ネットワーク９０１に対応した通信量算出式を通信量算出式記憶領域１００４から読み出し（ステップ１２０３）、上りデータのサイズから通信量算出式によって課金対象通信量を算出し、端末識別情報とともに通信料金算定手段１００５に渡し、通信料金算定手段１００５が、端末識別情報から特定される計算式を使って、課金対象通信量から通信料金を算定する（ステップ１２０４）。【０１２１】
情報サーバ９３０は、携帯電話端末９０３から要求されたデータを生成し、情報識別子を生成し、生成したデータのサイズと情報識別子を下りデータ情報記憶領域１００２に記憶する（ステップ１２０５）。【０１２２】
情報サーバ９３０は携帯電話端末９０３への下りデータを送信し、このとき情報識別子を付随させる（ステップ１２０６）。【０１２３】
携帯電話端末９０３は、下りデータの受信に成功すると、データに付随する情報識別子を下りデータ情報記憶領域に記憶する（ステップ１２０７）。【０１２４】
携帯電話端末９０３がデータ要求を行なう際には、下りデータ記憶領域に記憶された情報識別子を下りデータ情報として併せて通知する（ステップ１２０８）。【０１２５】
情報サーバ９３０では、データ要求に下りデータ情報が含まれる場合、下りデータ情報記憶領域１００２からに記憶された情報識別子とデータサイズを読み出し、読み出した情報識別子が通知された下りデータ情報に含まれる情報識別子と一致した場合に、下りデータ記憶領域１００２の記憶をクリアする（ステップ１２０９）。【０１２６】
情報サーバ９３０は、ステップ１２０９で取得したデータザイズとデータ要求に含まれる端末識別情報とネットワーク識別情報を通信算出手段１００３に渡す（ステップ１２１０）。【０１２７】
通信量算出手段１００３は、ネットワーク識別情報によって識別される携帯電話ネットワーク９０１に対応した通信量算出式を通信量算出式記憶領域１００４から読み出し（ステップ１２１１）、データサイズから通信量算出式によって課金対象通信量を算出し、端末識別情報とともに通信料金算定手段１００５に渡し、通信料金算定手段１００５が、端末識別情報から特定される計算式を使って、課金対象通信量から通信料金を算定する（ステップ１２１２）。【０１２８】
ステップ１２１３からステップ１２１８までの動作は、先に説明したステップ１２０２から１２０７の動作とそれぞれ同じであるため、説明を省略する。【０１２９】
なお、ステップ１２０９からステップ１２１２までの手順をステップ１２１３からステップ１２１５までの手順と入れ替え、上りデータについての通信料金算出を先に行なう構成であっても良い。また、ステップ１２１１とステップ１２１２をスキップし、ステップ１２１３までのステップで上りデータ量、下りデータ量、端末識別情報を取得した時点でこれらの情報を通信量算定手段１００３に渡し、通信量算定手段１００３で上りデータ量と下りデータ量のそれぞれに対する課金対象通信量を算出して端末識別情報とともに通信料金算定手段１００４に渡し、通信料金算定手段１００４が、端末識別情報から特定される計算式を使って、課金対象通信量から通信料金を算定する構成であっても良い。【０１３０】
実施例２における通信料金算定システムの下りデータ情報と同様、ステップ１２０５において情報サーバ９３０は下りデータに付与する情報識別子のみを記憶し、携帯電話端末９３０は受信に成功したデータの情報識別子のみを記憶するのではなく、受信に成功しなかった場合でも、ステップ１２０７において取得できたデータの情報識別子と取得したデータ量を記憶し、ステップ１２０８でデータ要求に付与する下りデータ情報は記憶している情報識別子とデータ量であり、ステップ１２１０で情報サーバは下りデータ情報として、ステップ１２０８で通知される下りデータ情報に含まれたデータ量を使用する構成であっても良い。【０１３１】
さらに、実施例３における通信料金算定システムと同様、下りデータ情報を携帯電話端末９０３が記憶して情報サーバ９３０に通知するのではなく、ゲートウェイ装置９０２が携帯電話端末９０３に下りデータを転送する際に下りデータ情報を記憶し、ゲートウェイ装置９０２が情報サーバ９３０に下りデータ情報を通知する構成であっても良い。【０１３２】
尚、上述した実施例１から実施例３では、情報サーバ、携帯電話端末及びゲートウェイをハードウェアで構成することも可能であるが、各部をコンピュータプログラムにより実現することも可能である。
【産業上の利用可能性】
【０１３３】
本発明の活用例として、企業内でパーソナルコンビュ一タ向けに提供されている情報サービスを、携帯端末に提供するような情報システムが挙げられる。個人契約の携帯電話から企業のサービスを利用し、その通信にかかる費用を企業が負担する場合に、企業サーバでの通信料金の算定を、携帯電話事業者からの課金と比べて小さい誤差で行なうことが可能となる。
【図１】
2006001454.tif 000002
【図２】
2006001454.tif 000003
【図３】
2006001454.tif 000004
【図４】
2006001454.tif 000005
【図５】
2006001454.tif 000006
【図６】
2006001454.tif 000007
【図７】
2006001454.tif 000008
【図８】
2006001454.tif 000009
【図９】
2006001454.tif 000010
【図１０】
2006001454.tif 000011
【図１１】
2006001454.tif 000012
【図１２】
2006001454.tif 000013
【図１３】
2006001454.tif 000014
【国際調査報告】
2006001454.tif 000015
2006001454.tif 000016
2006001454.tif 000017
2006001454.tif 000018